(57)【要約】      （修正有）【課題】あらゆる種類の電子製品の蓋板に貼り付けて使用可能で、汎用性が高い非密着型強化ガラスフィルムを提供する。【解決手段】非密着型強化ガラスフィルムは、全てのタッチコントロール型電子製品での使用に適し、ソフトフレーム１と、可視窓と、防爆フィルム３と、透明移動可能接着剤層４と、ＰＥＴ離型フィルム５とを備える。防爆フィルム３の表面に凹凸状のある砂粒が設置されるか、防爆フィルム３の表面に１つ以上の凸点が配列されてマトリクス状に形成される構造が設置されることにより、防爆フィルム３が艶消し効果またはドット効果を有し、電子製品の画面との接触面積が減少して、ニュートンリングの発生が防がれる。【選択図】図２
0003212520.tif 000002
【実用新案登録請求の範囲】
【請求項１】
純ガラスまたは炭素繊維材料で製作されるソフトフレームを備え、前記ソフトフレームの中央部には可視窓が設けられ、前記可視窓には防爆フィルムが内設され、前記ソフトフレーム及び前記防爆フィルムの前面側には透明移動可能接着剤層が設けられ、前記透明移動可能接着剤層の前側にはＰＥＴ離型フィルムが設置されることを特徴とする非密着型強化ガラスフィルム。
【請求項２】
純ガラスまたは炭素繊維材料で製作されるソフトフレームを備え、前記ソフトフレームの中央部には可視窓が設けられ、前記ソフトフレームの前側には防爆フィルムが設置され、前記防爆フィルムの前面側には透明移動可能接着剤層が設けられ、前記透明移動可能接着剤層の前側にはＰＥＴ離型フィルムが設置されることを特徴とする非密着型強化ガラスフィルム。
【請求項３】
前記防爆フィルムの表面には凹凸状のある砂粒が設置されることを特徴とする、請求項１または２に記載の非密着型強化ガラスフィルム。
【請求項４】
前記防爆フィルムの表面には１つ以上の凸点が配列されてマトリクス状に形成される構造が設置されることを特徴とする、請求項１または２に記載の非密着型強化ガラスフィルム。
【請求項５】
前記防爆フィルムの高さは可視窓の高さより小さく、且つ両者の差は０．１ｍｍに等しいかより小さく、前記防爆フィルムの幅は可視窓の幅より小さく、且つ両者の差は０．１ｍｍに等しいかより小さいことを特徴とする、請求項１に記載の非密着型強化ガラスフィルム。
【請求項６】
前記防爆フィルムの高さはソフトフレームの高さより小さく、且つ両者の差は０．１ｍｍに等しいかより小さく、前記防爆フィルムの幅はソフトフレームの幅より小さく、且つ両者の差は０．１ｍｍに等しいかより小さいことを特徴とする、請求項２に記載の非密着型強化ガラスフィルム。
【考案の詳細な説明】
【技術分野】
【０００１】
本考案は、タッチパネル型電子製品の強化ガラスフィルム分野に関し、特に、非密着型強化ガラスフィルムに関する。
【背景技術】
【０００２】
従来の携帯電話の強化フィルムは強化ガラス及び２液混合接着剤が貼り合わせられることにより製造される。
【考案の概要】
【考案が解決しようとする課題】
【０００３】
しかしながら、前述した従来の製造方法には欠点がある。電子製品の蓋板の辺縁の弧度が不均一である場合、２液混合接着剤の気泡除去が不完全になり、強化フィルムが貼り合わせられた後に明らかな気泡が発生し、製品の外観効果及びタッチ制御の感度に重大な影響を及ぼした。
【０００４】
そこで、本考案者は上記の欠点が改善可能と考え、非密着型強化ガラスフィルムにより、上記目的を達成できることを見出した。すなわち、非密着型強化ガラスフィルムによれば、従来のガラスフィルムの気泡除去が不完全になる現象を解決させる。また、電子製品の蓋板の弧度の影響を受けず、汎用性が高く、適用範囲が広く、使用効果に優れる。
【０００５】
かかる従来の事情に鑑みて、本考案は、ガラスフィルムの気泡除去が不完全になる現象を防止させることが可能である非密着型強化ガラスフィルムを提供することを目的とする。防爆フィルムの表面にドット効果または凹凸状のある艶消し効果を有し、電子製品の画面との接触面積を減少させ、ニュートンリング（虹色）の発生を防ぐ。また、電子製品の蓋板の弧度の影響を受けず、全てのタッチコントロール型電子製品での使用に適する。タッチ制御の感度が高く、汎用性も高く、適用範囲が広く、使用効果に優れた非密着型強化ガラスフィルムを提供する。
【課題を解決するための手段】
【０００６】
上述した課題を解決し、上記目的を達成するため、本考案に係る非密着型強化ガラスフィルムは、全てのタッチコントロール型電子製品に応用可能であり、純ガラスまたは炭素繊維材料で製作されるソフトフレームを備え、前記ソフトフレームの中央部には可視窓が設けられ、前記可視窓には防爆フィルムが内設され、前記ソフトフレーム及び前記防爆フィルムの前面側には透明移動可能接着剤層が設けられ、前記透明移動可能接着剤層の前側にはＰＥＴ離型フィルムが設置される。
【０００７】
本考案に係る非密着型強化ガラスフィルムは、純ガラスまたは炭素繊維材料で製作されるソフトフレームを備え、前記ソフトフレームの中央部には可視窓が設けられ、前記ソフトフレームの前側には防爆フィルムが設置され、前記防爆フィルムの前面側には透明移動可能接着剤層が設けられ、前記透明移動可能接着剤層の前側にはＰＥＴ離型フィルムが設置される。
【０００８】
好ましくは、前記防爆フィルムの表面には凹凸状のある砂粒が設置される。
【０００９】
好ましくは、前記防爆フィルムの表面には１つ以上の凸点が配列されてマトリクス状に形成される構造が設置される。
【００１０】
好ましくは、前記防爆フィルムの高さは可視窓の高さより低く、且つ両者の差は０．１ｍｍに等しいかより小さく、前記防爆フィルムの幅は可視窓の幅より狭く、且つ両者の差は０．１ｍｍに等しいかより小さい。
【００１１】
好ましくは、前記防爆フィルムの高さはソフトフレームの高さより低く、且つ両者の差は０．１ｍｍに等しいかより小さく、前記防爆フィルムの幅はソフトフレームの幅より狭く、且つ両者の差は０．１ｍｍに等しいかより小さい。
【考案の効果】
【００１２】
本考案の非密着型強化ガラスフィルムは、ソフトフレームと、可視窓と、防爆フィルムと、透明移動可能接着剤層と、ＰＥＴ離型フィルムとを備える。防爆フィルムの表面に凹凸状のある砂粒が設置されるか、防爆フィルムの表面に１つ以上の凸点が配列されてマトリクス状に形成される構造が設置されることにより、防爆フィルムが艶消し効果またはドット効果を有し、電子製品の画面との接触面積が減少して、ニュートンリング（虹色）の発生が防がれる。電子製品の蓋板に直接貼り付けられ、電子製品の蓋板の辺縁の弧度が不均一であっても影響を受けず、ガラスフィルムの気泡除去が不完全になる現象を効果的に防止させて外観に影響を及ぼさないようにする。これによりタッチ制御の感度を大幅に高める。電子製品メーカーが製造するあらゆる種類の蓋板に貼り付けて使用可能であり、汎用性が高く、適用範囲が広く、使用効果にも優れており、実用性が高い。
【図面の簡単な説明】
【００１３】
【図１】本考案に係る非密着型強化ガラスフィルムがアップル社の携帯電話に適用される例を説明する前面図である。
【図２】本考案の一実施形態に係る非密着型強化ガラスフィルムがアップル社の携帯電話に適用される例を説明する構成の分解図である。
【図３】本考案の他の実施形態に係る非密着型強化ガラスフィルムがアップル社の携帯電話に適用される例を説明する構成の分解図である。
【考案を実施するための形態】
【００１４】
本考案における好適な実施の形態について、添付図面を参照しながら説明する。尚、以下に説明する実施の形態は、実用新案登録請求の範囲に記載された本考案の内容を限定するものではない。また、以下に説明される構成の全てが、本考案の必須要件であるとは限らない。なお、他の定義がない限り、本考案に記載されるあらゆる技術及び科学表現が当業者に通常理解されえる意味と同じである。
＜実施形態＞
【００１５】
図１〜２を参照しながら、本考案の非密着型強化ガラスフィルムを詳しく説明する。本考案の非密着型強化ガラスフィルムは、純ガラスまたは炭素繊維材料で製作されるソフトフレーム１を備える。前記ソフトフレーム１の中央部には可視窓２が設けられ、前記可視窓２には防爆フィルム３が内設される。前記ソフトフレーム１及び防爆フィルム３の前面側には透明移動可能接着剤層４が設けられ、前記透明移動可能接着剤層４の前側にはＰＥＴ離型フィルム５が設置される。前記ＰＥＴ離型フィルム５は、ＰＥＴ薄膜を基材として用い、ＰＥＴ薄膜の表面にシリコーンオイルを塗布したものであって、ＰＥＴ薄膜の表面を滑らかにし、ＰＥＴ薄膜の表面の付着力を下げることにより、離型の効果を実現することができる。透明移動可能接着剤層４は、複数の回数にて繰り返して貼り付けられる粘着層である。
【００１６】
図２に示されるように、前記防爆フィルム３の高さは可視窓２の高さより小さく、且つ両者の差は０．１ｍｍに等しいかより小さい。前記防爆フィルム３の幅は可視窓２の幅より小さく、且つ両者の差は０．１ｍｍに等しいかより小さい。
【００１７】
他の実施形態において、図３に示されるように、本考案の非密着型強化ガラスフィルムは、純ガラスまたは炭素繊維材料で製作されるソフトフレーム１を備える。前記ソフトフレーム１の中央部には可視窓２が設けられる。前記ソフトフレーム１の前側には防爆フィルム３が設置され、前記防爆フィルム３の前面側には透明移動可能接着剤層４が設けられ、前記透明移動可能接着剤層４の前側にはＰＥＴ離型フィルム５が設置される。
【００１８】
図３に示されるように、前記防爆フィルム３の高さはソフトフレーム１の高さより小さい、且つ両者の差は０．１ｍｍに等しいかより小さい。前記防爆フィルム３の幅はソフトフレーム１の幅より小さい、且つ両者の差は０．１ｍｍに等しいかより小さい。
【００１９】
ある実施形態において、前記防爆フィルム３の表面には凹凸状のある砂粒（粒）が設置される（図示せず）。
【００２０】
ある実施形態において、前記防爆フィルム３の表面には１つ以上の凸点が配列されるマトリクス状に形成される構造が設置される（図示せず）。
【００２１】
前記非密着型強化ガラスフィルムは全てのタッチコントロール型電子製品に応用可能であり、携帯電話型の電子製品への応用に限定されない。その構造設計の原理については下述する。
【００２２】
前記防爆フィルム３は製品のサイズの違いに合わせた面積で設置され、可視窓２の面積と同じサイズで設置されるか、またはソフトフレーム１の面積と同じサイズで設置される。前記ソフトフレーム１はインク印刷領域であり、透明移動可能接着剤層４の正面及び裏面は共に粘性を有している。非密着とは、ソフトフレーム１が電子製品の蓋板に貼り付けられ、防爆フィルム３がソフトフレーム１の前面側に貼り付けられ、或いは、可視窓２の内部に設置され、しかも、透明移動可能接着剤層４が防爆フィルム３の前面側に貼り付けられ、ＰＥＴ離型フィルム５がこの透明移動可能接着剤層４の前面側に貼り付けられることにより、防爆フィルム３がソフトフレーム１を介して、電子製品のパネルと接触していない非密着状態である。前記防爆フィルム３の表面には艶消し効果またはドット効果を有し、電子製品の画面との接触面積を減少させてニュートンリング（虹色）の発生を防ぐ。電子製品の蓋板に直接貼り付けられ、電子製品の蓋板の辺縁の弧度が不均一であっても影響を受けず、ガラスフィルムの気泡除去が不完全になる現象を効果的に防止させ、外観効果への影響を回避させる。
【００２３】
また、本考案の非密着型強化ガラスフィルムは、ソフトフレーム、可視窓、防爆フィルム、透明移動可能接着剤層及びＰＥＴ離型フィルムが設置され、且つ防爆フィルムの表面に凹凸状のあるドットまたは凹凸状のある砂粒が設けられることにより、ガラスフィルムの気泡除去が不完全になる現象が防止され、タッチ制御の感度が大幅に高まる。これにより、従来の携帯電話の強化フィルムでは強化ガラス及び２液混合接着剤が貼り合わせられ、電子製品の蓋板の辺縁の弧度が不均一である場合に、２液混合接着剤の気泡除去が不完全になり、防爆フィルムが貼られた後に明らかな気泡が発生し、製品の外観効果及びタッチ制御の感度に重大な影響を与えるといった問題を解決させる。また、あらゆる電子製品メーカーの蓋板に貼り合わせて使用可能であり、汎用性が高く、適用範囲も広く、使用効果も優れ、実用性が高い。
【００２４】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２５】
１  ソフトフレーム
２  可視窓
３  防爆フィルム
４  透明移動可能接着剤層
５  ＰＥＴ離型フィルム
【図１】
0003212520.tif 000003
【図２】
0003212520.tif 000004
【図３】
0003212520.tif 000005